(57)【要約】      （修正有）【課題】ＥＣＧシグナルを検出する方法を提供する。【解決手段】初期磁気共鳴画像法（ＭＲＩ）シーケンスを用いて患者を撮像する間に、患者の近くに配置した参照センサを用いて、初期ＭＲＩシーケンスに反応して、初期ＭＲＩ参照シグナルを生成することを含む方法。さらに、初期ＭＲＩ参照シグナルを自動的に追尾することによって、患者から受信した心電図（ＥＣＧ）シグナル中で生成されるであろうノイズを同定することと、ノイズを減少させるために、ＥＣＧシグナルに適用されるべきプログラム可能な補正を計算することと、を含む。また、続くＭＲＩシーケンスを用いて患者を撮像する間、そして参照センサを用いて、続くＭＲＩシーケンスに反応して生成された続くＭＲＩ参照シグナルを自動的に追尾する間、患者から受信した、ＥＣＧシグナル中のノイズを減少させるために、プログラム可能な補正を適用することを含む。【選択図】図１
2015147046.tif 000002
【特許請求の範囲】
【請求項１】
初期磁気共鳴画像法（ＭＲＩ）シーケンスを用いて患者を撮像すると同時に、前記患者の近くに配置した参照センサを用いて、前記初期ＭＲＩシーケンスに反応して初期ＭＲＩ参照シグナルを発生させることと、
前記初期ＭＲＩ参照シグナルを自動的に追尾することによって、前記患者から受信した心電図（ＥＣＧ）シグナル中で発生されるであろうノイズを同定することと、
前記ＥＣＧシグナルに適用されるべきプログラム可能な補正を計算し、前記ノイズを減少させることと、
続くＭＲＩシーケンスを用いて前記患者を撮像すると同時に、そして前記参照センサを用いて前記続くＭＲＩシーケンスに反応して発生された続くＭＲＩ参照シグナルを自動的に追尾すると同時に、前記患者から受信した前記ＥＣＧシグナル中の前記ノイズを減少させるために、前記プログラム可能な補正を適用することと、を含む方法。
【請求項２】
前記参照センサを、前記ＥＣＧシグナルを拾うことがないように配置することを含む、請求項１に記載の方法。
【請求項３】
前記参照センサがアンテナを含む、請求項１に記載の方法。
【請求項４】
前記プログラム可能な補正が、一組の振動数依存ゲインを含む、請求項１に記載の方法。
【請求項５】
前記ノイズを同定することに、前記患者に連結した固定電極から発生された前記ＥＣＧシグナルを解析することが含まれる、請求項１に記載の方法。
【請求項６】
前記ノイズを同定することに、ＭＲＩシーケンスで前記患者を撮像せずに前記患者から受信した前記ＥＣＧシグナルを、前記初期ＭＲＩシーケンスを用いて前記患者を撮像する間に前記患者から受信した前記ＥＣＧシグナルと比較すること、が含まれる、請求項１に記載の方法。
【請求項７】
前記ノイズを同定することに、前記初期ＭＲＩシーケンスを用いて前記患者を撮像する間に前記患者から受信した前記ＥＣＧシグナルを合計することが含まれる、請求項１に記載の方法。
【請求項８】
前記ＥＣＧシグナルを合計することに、前記患者に連結した固定電極から発生された前記ＥＣＧシグナルを合計することが含まれる、請求項７に記載の方法。
【請求項９】
患者の近くに配置され、初期磁気共鳴画像法（ＭＲＩ）シーケンスを用いて前記患者を撮像する間に、前記初期ＭＲＩシーケンスに反応して初期ＭＲＩ参照シグナルを発生するために設定した、参照センサと、
プロセッサであって、
前記初期ＭＲＩ参照シグナルを自動的に追尾することによって、前記患者から受信した心電図（ＥＣＧ）シグナル中で発生されるであろうノイズを同定することと、
前記ＥＣＧシグナルに適用されるべきプログラム可能な補正を計算して、前記ノイズを減少させることと、
続くＭＲＩシーケンスを用いて前記患者を撮像し、前記参照センサを用いて前記続くＭＲＩシーケンスに反応して発生された続くＭＲＩ参照シグナルを自動的に追尾すると同時に、前記プログラム可能な補正を適用して、前記患者から受信した前記ＥＣＧシグナル中の前記ノイズを減少させることと、
のために設定された、プロセッサと、を含む器具。
【請求項１０】
前記参照センサが、前記ＥＣＧシグナルを拾うことがないように配置される、請求項９に記載の器具。
【請求項１１】
前記参照センサがアンテナを含む、請求項９に記載の器具。
【請求項１２】
前記プログラム可能な補正が、一組の振動数依存ゲインを含む、請求項９に記載の器具。
【請求項１３】
前記患者に連結された固定電極を含み、前記ノイズを同定することに、前記固定電極から発生された前記ＥＣＧシグナルを解析することが含まれる、請求項９に記載の器具。
【請求項１４】
前記ノイズを同定することに、ＭＲＩシーケンスで前記患者を撮像せずに前記患者から受信した前記ＥＣＧシグナルを、前記初期ＭＲＩシーケンスを用いて前記患者を撮像する間に前記患者から受信した前記ＥＣＧシグナルと比較すること、が含まれる、請求項９に記載の器具。
【請求項１５】
前記ノイズを同定することに、前記初期ＭＲＩシーケンスを用いて前記患者を撮像する間に前記患者から受信した前記ＥＣＧシグナルを合計することが含まれる、請求項９に記載の器具。
【請求項１６】
前記患者に連結された固定電極を含み、前記ＥＣＧシグナルを合計することに、前記固定電極から発生された前記ＥＣＧシグナルを合計することが含まれる、請求項１５に記載の器具。
【発明の詳細な説明】
【技術分野】
【０００１】
（関連出願の相互参照）
本明細書は、本発明の付与者に付与され、参考文献によって本明細書に組み込まれている、同日付にて申請された、「Ｄｙｎａｍｉｃ  Ｃａｎｃｅｌｌａｔｉｏｎ  ｏｆ  ＭＲＩ  Ｓｅｑｕｅｎｃｉｎｇ  Ｎｏｉｓｅ  Ａｐｐｅａｒｉｎｇ  ｉｎ  ａｎ  ＥＣＧ  Ｓｉｇｎａｌ」という表題の米国特許明細書に関連する。
【０００２】
（発明の分野）
本発明は一般に、心電図（ＥＣＧ）シグナルに関し、とりわけ磁気共鳴映像法（ＭＲＩ）手順の間、ＥＣＧシグナルを検出することに関する。
【背景技術】
【０００３】
磁気共鳴映像法（ＭＲＩ）は、患者の組織、特に軟組織を可視化するための、極めて強力な技術である。この技術は、原子核、典型的には水素原子核をそれらの平衡状態から励起することと、原子核が平衡状態に緩和するときに原子核により放出される共鳴高周波信号を測定することとに依存する。
【０００４】
ＭＲＩ手順において、該手順によって発生した、急速に変化する磁場中に配置された患者の心状態が査定される必要がありうる。心電図（ＥＣＧ）シグナルのモニタリングが、患者の心状態の良好な指標であり、ＥＣＧモニタリングが該手順の効率を増強しうる。
【０００５】
その開示内容が参考により本明細書に組み込まれている、Ｆｉｓｃｈｅｒに付与された米国特許第６，８７３，８６９号明細書は、乱流電磁気環境中に配置された患者のＥＣＧシグナルを得る方法を記述している。追加されたノイズを含むシグナルが、第一測定ループの２つの電極形成部分によって伝達されたシグナルからの結果である、差動シグナルとして、心臓領域近くで回収される。
【０００６】
その開示内容が参考文献によって本明細書に組み込まれている、Ｔｓｉｔｌｉｋ  ｅｔ  ａｌ．，に付与された米国特許第５，２１７，０１０号明細書は、ＭＲＩシステム中で安全に操作可能であると述べられる、患者をモニタする、又は患者をペーシングするための器具を記述している。器具は、ＭＲＩ中で産出された高周波数ＲＦシグナルからの結果であるリード上の電圧を減衰させるために、固有のＲＦフィルタリング及びシェーディングを使用することを請求している。
【０００７】
その開示内容が参考文献によって本明細書に組み込まれている、Ｂｒｏｓｏｖｉｃｈ，ｅｔ  ａｌ．，に付与された米国特許第２００４／０２２５２１０号明細書は、電極を別の器具に連結することが可能であると述べられる、リードセットアセンブリを記述している。本アセンブリは２つのリードを含む。条件センスリードは、２つの伝導性経路を特徴とし、それぞれが、そこから生体電気シグナルを伝達するための１つの電極に連結可能であり、電磁気エマネーションによって、そこに含まれる第一ノイズシグナルを持ちうる。ノイズピックアップリードはまた、２つの伝導性経路を特徴とし、それぞれ、電磁気エマネーションによってそこに含まれる第二ノイズシグナルを持ちうる。
【０００８】
その開示内容が参考文献によって本明細書に組み込まれている、Ｂｒｏｓｏｖｉｃｈ，ｅｔ  ａｌ．，に付与された米国特許第７，０３９，４５５号明細書は、ＭＲＩを受けている患者から得た、ＥＣＧシグナルの品質を改善するための器具を記述している。本器具には、差動増幅計、プレフィルタ、シグナルリミッター回路、及び積分ローパスフィルタを有する中間増幅計が含まれる。
【０００９】
その開示内容が参考により本明細書に組み込まれている、Ｃｏｈｅｎに付与された米国特許第７，２８６，８７１号明細書は、繰り返し干渉汚染の存在下記録された、電気シグナルの汚染を減少させる方法を記述している。電気シグナルはデジタル化され、デジタル化は、タイミングシグナルと共に開始する。複数のデジタル化した電気シグナルを解析し、該電気シグナルをタイミングシグナルに対して同期化して、デジタル化した電気シグナルから差し引いた推定汚染シグナルを得る。
【００１０】
その開示内容が参考により本明細書に組み込まれている、Ｍｏｏｒｅに付与された、米国特許第４，９９１，５８０号明細書は、ＭＲＩを受けている患者から得たＥＣＧシグナルの品質を改善するために方法を開示している。本方法には、ＭＲＩ誘導ノイズシグナルを有するＥＣＧシグナルを、先に選択された最大立ち上がり速度を有する、スルーレートリミッタ（ＳＲＬ）回路の入力に対して伝導することが含まれる。ＳＲＬ回路の出力は、ローパスフィルタ回路に対して連結される。
【００１１】
その開示内容が参考文献によって本明細書に組み込まれている、Ｋｒｅｇｅｒ，ｅｔ  ａｌ．に付与された米国特許第６，０７０，０９７号明細書は、心臓ＭＲＩに対するゲーティングシグナルを生成するための方法を記述している。ＭＲＩシステムには、スキャンされている患者からのＥＣＧシグナルを受信し、ゲーティングシグナルを生成する検出器システムが含まれる。ゲーティングシグナルは、ＥＣＧシグナル内の検出されたピークが、一組のＲ−波判定基準に見合った時に生成される。
【００１２】
その開示内容が参考文献によって本明細書に組み込まれる、Ｕｕｔｅｌａ  Ｋｉｍｍｏに付与された欧州特許第１，８７２，７１５号明細書は、乱流電磁環境によって生成され、回収される、バイオシグナルアーチファクトの統計学的特徴の参照データ指標を記述している。患者のバイオシグナルの多数のチャネルを、乱流電磁環境中で測定する。多数のチャンネル中のアーチファクトを、参照データを用いて検出し、パラメータを、多数のチャネルの線形組み合わせに対して誘導する。正確なバイオシグナルを、多数のチャネルの望むシグナル試料に、線形組み合わせを適用することによって得、線形組み合わせは、誘導されたパラメータによって定義される。
【００１３】
その開示内容が参考文献によって本明細書に組み込まれている、Ｓｃｈｗｅｉｔｚｅｒ  ｅｔ  ａｌ．に付与された国際特許第ＷＯ／２０１２／１７０１１９号パンフレットは、ＭＲＩスキャンシーケンスの間に、患者の体で、カテーテル電極位置を追跡するためのシステムが記述されている。システムには、潜在的にノイズを誘導する条件の間にとられ、したがってノイズによる改変にさらされた、１つ以上のインピーダンス測定を同定するために設定された緩和ロジックが含まれる。該緩和ロジックを、潜在的に間違いの多いインピーダンス測定を、直前に進められている獲得サイクルからとった、先に得たインピーダンス測定に置換するように構成する。
【００１４】
２０１１年１０月に発行された、Ｐｒｅｂｈａｋａｒ  Ｒａｊｉａｈによる、「Ｃａｒｄｉａｃ  ＭＲＩ：Ｐａｒｔ  ２，Ｐｅｒｉｃａｒｄｉａｌ  Ｄｉｓｅａｓｅｓ」という表題の、Ａｍｅｒｉｃａｎ  Ｊｏｕｒｎａｌ  ｏｆ  Ｒｏｅｎｔｇｅｎｏｌｏｇｙの１９７巻、４号の記事は、心臓手順におけるＭＲＩの利用を記述している。
【００１５】
参照により本特許出願に組み込まれた文書は、これらの組み込まれた文書内のどんな用語でも、本明細書で明示的又は暗黙的に行われる定義と相反するように定義される場合を除き、本出願の一体部分と見なされるべきであり、本明細書における定義のみが検討されるべきである。
【発明の概要】
【発明が解決しようとする課題】
【００１６】
本発明の一実施形態は、次のことを含む方法を提供する：
初期磁気共鳴画像法（ＭＲＩ）シーケンスを用いて患者を撮像する間に、前記患者の近くに配置した参照センサを用いて、前記初期ＭＲＩシーケンスに反応して初期ＭＲＩ参照シグナルを生成することと
前記初期ＭＲＩ参照シグナルを自動的に追尾することによって、前記患者から受信した心電図（ＥＣＧ）シグナル中で生成されるであろうノイズを同定することと、
前記ＥＣＧシグナルに適用されるべきプログラム可能な補正を計算し、前記ノイズを減少させることと、
続くＭＲＩシーケンスを用いて前記患者を撮像する間に、そして前記参照センサを用いて前記続くＭＲＩシーケンスに反応して生成された続くＭＲＩ参照シグナルを自動的に追尾する間に、前記患者から受信した前記ＥＣＧシグナル中の前記ノイズを減少させるために、前記プログラム可能な補正を適用すること。
【００１７】
典型的に本方法には、前記参照センサを、前記ＥＣＧシグナルを拾うことがないように配置することが含まれる。
【課題を解決するための手段】
【００１８】
開示された実施形態において、前記参照センサがアンテナからなる。
【００１９】
さらに開示された実施形態において、前記プログラム可能な補正が、一組の振動数依存ゲインを含む。
【００２０】
またさらに開示された実施形態において、前記ノイズを同定することが、前記患者に連結した固定電極から生成された前記ＥＣＧシグナルを解析することからなる。
【００２１】
代替実施形態において、前記ノイズを同定することに、ＭＲＩシーケンスで前記患者を撮像せずに、前記患者から受信した前記ＥＣＧシグナルを、前記初期ＭＲＩシーケンスを用いて患者を撮像する間に、前記患者から受信した前記ＥＣＧシグナルと比較すること、が含まれる。
【００２２】
さらなる代替実施形態において、前記ノイズを同定することに、前記初期ＭＲＩシーケンスを用いて前記患者を撮像する間に、前記者から受信した前記ＥＣＧシグナルを合計することが含まれる。典型的に、前記ＥＣＧシグナルを合計することは、前記患者に連結した固定電極から生成された前記ＥＣＧシグナルを合計することからなる。
【００２３】
本発明の一実施形態により更に、装置であって、
患者の近くに配置され、初期磁気共鳴画像法（ＭＲＩ）シーケンスを用いて前記患者を撮像する間に、前記ＭＲＩシーケンスに反応して初期ＭＲＩ参照シグナルを生成するために設定した、参照センサと、
プロセッサであって、
前記初期ＭＲＩ参照シグナルを自動的に追尾することによって、前記患者から受信した心電図（ＥＣＧ）シグナル中で生成されるであろうノイズを同定することと、
前記ＥＣＧシグナルに適用されるべきプログラム可能な補正を計算して、前記ノイズを減少させることと、
続くＭＲＩシーケンスを用いて前記患者を撮像し、前記参照センサを用いて前記続くＭＲＩシーケンスに反応して生成された続くＭＲＩ参照シグナルを自動的に追尾する間に、前記プログラム可能な補正を適用して、前記患者から受信した前記ＥＣＧシグナル中の前記ノイズを減少させることと、のために設定された、プロセッサと、を含む器具が提供される。
【００２４】
本発明は、以下の詳細な実施形態の説明を、図面と併せ読むことによって、より十分に理解されるであろう。
【図面の簡単な説明】
【００２５】
【図１】本発明の一実施形態にしたがった、心電図（ＥＣＧ）シグナル中に現れている磁気共鳴画像法（ＭＲＩ）ノイズのアナログ解除のための略図的絵図。
【図２】本発明の一実施形態にしたがった、ＭＲＩ手順の間に発生したＭＲＩシグナルのシーケンスを略図的に示している、一組の電圧対時間、及び磁場対時間グラフ。
【図３】本発明の一実施形態にしたがった、ＭＲＩ手順の間に発生したＭＲＩシグナルのシーケンスを略図的に示している、他の組の電圧対時間、及び磁場対時間グラフ。
【図４】本発明の一実施形態にしたがった、図１のシステムを実行することにおいて実施した段階のフローチャート。
【図５】本発明の他の実施形態にしたがった、図１のシステムを実行することにおいて実施した段階のフローチャート。
【図６】本発明のさらなる他の実施形態にしたがった、図１のシステムを実行することにおいて実施した段階のフローチャート。
【発明を実施するための形態】
【００２６】
概論
本発明の実施形態は、ＭＲＩシーケンスによって撮像される間、患者から受信した心電図（ＥＣＧ）シグナル中でピックアップされる、磁気共鳴映像法（ＭＲＩ）ノイズを減少させる。ノイズを減少させるために、ＭＲＩスキャナからのＭＲＩ放射を検出可能なセンサ、典型的にはアンテナを、患者の近くに配置する。センサは典型的には、患者からのＥＣＧを拾うことがないように、しかしながら、ＭＲＩノイズを減少させることにおいて、プロセッサを支持する、ＭＲＩ参照シグナルとして使用されるシグナルを生成するように配置される。
【００２７】
いくつかの実施形態において、ノイズがまず検出され、トレーニング期を用いて特性化される。トレーニング期に、操作期が続き、そこではトレーニング期にて生成された補正率が適用される。
【００２８】
トレーニング期において、ＭＲＩシーケンスが動作可能ではない間に、患者からのＥＣＧシグナルがまず記録される。これらのシグナルが、ＥＣＧ参照シグナルとして使用される。ＭＲＩシーケンスがついで活性化され、以上で記述されたＭＲＩ参照シグナルが生成され、ＥＣＧシグナル内にＭＲＩのノイズが導入される。プロセッサは、ＥＣＧシグナルを自動的に追尾するために、ＭＲＩ参照シグナルを使用し、自動的に追尾されている間生成されたものと、参照ＥＣＧシグナルを比較する。比較を用いて、プロセッサが補正率、典型的には、ＭＲＩノイズを減少させるように、ＥＣＧシグナルを提供してよい、一組の周波数依存ゲインを生成する。
【００２９】
対応する補正率が、異なる型のＭＲＩシーケンスに対して、並びに各型のシーケンスの定義されているパラメータの変数に対して生成されてよい。
【００３０】
操作期において、シーケンスの活性化の間に生成されたＭＲＩ参照シグナルを自動的に追尾する間、補正率が、続くＭＲＩシーケンスの間に生成された続くＥＣＧシグナルに適用される。典型的に、シーケンスの型、並びにシーケンスを定義しているパラメータが、ＭＲＩ参照シグナルから同定されてよい。
【００３１】
本発明の代替実施形態において、トレーニング期は存在しない。それどころか、以上で記述されたものと同様の方法を用いて、操作期の間、導入されたＭＲＩノイズが、検出され、減少される。検出及び減少は、注入されたＭＲＩノイズの検出及び減少を改善するために反復を用いて、「オンザフライ」様式にて実施されてよい。
【００３２】
発明を実施するための形態
ここで、本発明の実施形態にしたがって、心電図（ＥＣＧ）シグナル中に現れている磁気共鳴映像法（ＭＲＩ）シークエンシングノイズのアナログ解除のための、システム２０の略図的絵図である、図１を参照する。システム２０は、ＭＲＩスキャナ２２と、カテーテル等のプローブ２４と、制御コンソール２６とを備える。プローブ２４は、プローブの遠位末端３４における１つ以上の電極３２を用いて、患者３０の心臓２８のチャンバーにおけるＥＣＧシグナルを捕獲するために使用されてよい。電極３２によって捕獲されたシグナルを本明細書では、内部ＥＣＧシグナルと呼ぶ。いくつかの実施形態では、プローブ２４は、心臓焼灼を行うなど、追加の目的のために使用され得る。更に別の方法としては、プローブ２４は、変更すべきところは変更して、心臓又はその他の身体器官において、その他の治療及び／又は診断目的のために使用され得る。電極３２によって捕獲された内部ＥＣＧシグナルを、典型的には、プローブ２４中のコンダクタ及び／又は光学ファイバによって、制御コンソール２６まで転送し、そこでシグナルが解析されてよい。
【００３３】
プローブ２４を用いて、内部ＥＣＧシグナルを捕獲することに加えて、システム２０は典型的にまた、典型的に患者の皮膚上に、電極として働く、多数の導電性パッチ３６を配置することによって、患者３０の皮膚からＥＣＧシグナルを獲得する。パッチ３６によって捕獲されたシグナルを本明細書では、外部ＥＣＧシグナルと呼ぶ。外部ＥＣＧシグナルを、ケーブル３８を介して、シグナルを解析する制御コンソール２６に伝達する。解析から得た結果を、システム２０の操作者４２に対して、ディスプレイ４０上に提示してよい。
【００３４】
操作者４２、典型的には心臓専門医が、プローブの遠位末端３４が、本明細書でそこより内部ＥＣＧシグナルが捕獲される心臓チャンバーであると仮定される、体腔に入るように、患者３０の血管系を通してプローブ２４を挿入する。典型的に、プローブの遠位末端を、本技術分野で公知の方法によって追跡する。磁気位置追跡技術は、例えば、米国特許第５，３９１，１９９号、同５，４４３，４８９号、第６，７８８，９６７号、同第６，６９０，９６３号、同第５，５５８，０９１号、同第６，１７２，４９９号、同第６，１７７，７９２号に、記載されており、それらの開示内容を参照により本願に援用する。インピーダンスに基づく位置追跡技術は、例えば米国特許第５，９８３，１２６号、同第６，４５６，８６４号、及び同第５，９４４，０２２号に説明され、その開示内容が同様に参照により本明細書に組み込まれる。
【００３５】
ＭＲＩスキャナ２２は、一緒になって空間的に異なる磁場Ｂ（ｘ、ｙ、ｚ）を生成する、傾斜磁場コイルなどの磁場コイル５０を備える。空間的に異なる磁場は、スキャナ内で生成される高周波（ＲＦ）信号の空間位置確認を提供する。更に、スキャナは、送信／受信コイル５２を備える。送信モードにおいて、コイル５２は患者３０へＲＦパルス化エネルギーを放射し、エネルギーのＲＦパルスが、患者の組織の原子核スピンと相互作用し、それによって、それらの平衡位置から離れて、原子核の磁気モーメントを再調整する。受信モードにおいて、コイル５２は、組織の原子核がそれらの平衡状態に緩和するときに患者の組織から受け取るＲＦ信号を検出する。所与の領域内の原子核の緩和によって生成される信号の周波数（ラーモア周波数）は、その領域の磁場と正比例の関係であり、比例定数は原子の磁気回転比γで与えられる。したがって、水素原子核に関して下記式（１）：
【数１】
2015147046.tif 000003
（式中、ｆ（ｘ、ｙ、ｚ）は、緩和水素原子核によって点（ｘ、ｙ、ｚ）から放射される周波数であり、
Ｂ（ｘ、ｙ、ｚ）は、この点の磁場であり、
【数２】
2015147046.tif 000004
は、約４２．６ＭＨｚ・Ｔ−１に等しい）を適用する。
【００３６】
システム２０はまた、ＭＲＩ参照センサ５４、典型的にはアンテナを含み、アンテナ５４として本明細書でまた参照されてよい。アンテナ５４は、ＭＲＩ放射を、コイル５０及び５２から拾うことによって、スキャナ２２の操作に応答してシグナルを生成する。アンテナ５４は、ケーブル５５、典型的には同軸ケーブルによって、コンソール２６に連結する。後に記述するように、システム２０は、典型的には、ＭＲＩ参照シグナルとして、遮断差動増幅計（示していない）を通して伝達された後に、アンテナシグナルを使用する。センサ５４が典型的にアンテナである一方で、本発明の範囲には、ＭＲＩ放射をピックアップすることによってシグナルを生成可能な半導体センサのような、任意の型のセンサが含まれる。
【００３７】
いくつかの実施形態において、スキャナ２２を、スキャナプロセッサ５６によって操作し、以上で記述したＥＣＧシグナルと、ＥＣＧとＭＲＩ参照シグナルを、ＥＣＧプロセッサ５８によって解析する。プロセッサ５８は典型的にまた、内部ＥＣＧシグナルを捕獲しているプローブを追跡する。単純化のために、本明細書の記述において、コンソール２６内の単一プロセッサ６０が、システム２０を操作すると推定され、当業者が、１つ以上のプロセッサがシステムを操作する事象における記述を適合可能であろう。
【００３８】
したがって、以上を参照してＥＣＧとＭＲＩ参照シグナルを解析することと、内部ＥＣＧシグナルを捕獲しているプローブを追跡することとに加えて、プロセッサ６０は、必要とされた磁場勾配、並びに送信／受信コイル５２を操作するための他の回路を形成することを含む、制御コイル５０に対する回路を用いることによって、スキャナ２２を操作する。
【００３９】
典型的には、プロセッサ６０は一般用途コンピュータで構成され、コンピュータには、本明細書に記載する機能を実行するソフトウェアがプログラムされている。ソフトウェアは、例えば、ネットワークを介して電子形式でプロセッサ６０にダウンロードされてもよく、或いは、光学的、磁気的、又は電子的記憶媒体などの有形の持続的な媒体上で提供されてもよい。別の方法としては、プロセッサ６０のいくつかの又は全ての機能は、専用の若しくはプログラム可能なデジタルハードウェア構成要素によって、又はハードウェア要素とソフトウェア要素との組み合わせを使用することによって、実施されてもよい。
【００４０】
図２は、本発明の一実施形態にしたがった、ＭＲＩ手順の間に生成されるＭＲＩシグナルのシーケンス７０を略図的に説明している、第一組の電圧（Ｖ）対時間（ｔ）及び磁場（Ｂ）対時間（ｔ）グラフである第一の電圧対時間グラフ７２は、シーケンス７０の開始時に送信される、コイル５２によって生成された、送信ＲＦパルス７４を説明している。送信ＲＦパルス長は典型的に、より大きく、又はより小さくてもよいが、２ｍｓのオーダーである。第一磁場対時間グラフ７６中に説明された、送信ＲＦパルスを包含することは、コイル５０によって生成されたスライス選択勾配（Ｇｓｓ）磁場パルスである。スライス選択勾配場は、スキャナ２２によって撮像されべきである、患者３０中の所望の容量を同定する。
【００４１】
第二の磁場対時間グラフ８０は、所望の容量内の点の垂直位を選択する、期コード勾配（Ｇｐｅ）場パルスを説明している。第三の磁場対時間グラフ８４は、所望の容量内の点の水平位を選択する、周波数コード勾配（Ｇｆｅ）場パルスを説明している。
【００４２】
第二の電圧対時間グラフ８８は、送信ＲＦパルスに対する応答において、コイル５２によって受信したデータ捕獲シグナルに対応している、受信ＲＦパルス９０を説明している。
【００４３】
ＲＦ送信パルスの中心と、ＲＦ受信パルスの中心間の典型的な時間は、およそ３０ｍｓであってよい。全シーケンスに対する典型的な時間は、およそ４０ｍｓであってよい。しかしながら、実際の時間は、これらの値よりも長く、又は短くてもよい。
【００４４】
ＭＲＩ手順の経過の間、シーケンス７０によって説明された、ＲＦパルスのシーケンスと磁場設定は、典型的には１ｓのオーダーの反復速度で、繰り返してよい。シーケンス７０の各反復において、磁場パルスを定義している１つ以上の変数は、典型的に患者３６の異なる領域がスキャンされうるように、様々であってよい。いくつかの場合、シーケンス７０を繰り返すにつれ、その振幅、周波数又は期のような、ＲＦ送信パルス７４の変数が変化してよい。
【００４５】
シーケンス７０は、ＭＲＩ手順にて典型的に使用される、勾配エコーシーケンスを意味する、１つの型のＭＲＩシーケンスを説明する。
【００４６】
図３は、本発明の一実施形態にしたがった、ＭＲＩ手順の間に生成されたＭＲＩシグナルのシーケンス１００を略図的に説明している、第二組の電圧対時間と磁場対時間グラフである。シーケンス７０に対してのように、シーケンス１００は、送信及び受信電圧対時間グラフ１１０及び１１２と、３つの磁場対時間グラフ１２０、１２２及び１２４とを含む。グラフ中で説明するように、シーケンス１００は、（シーケンス７０の１つのＲＦパルスと１つのＧｆｅパルスと対称的に）２つのＲＦ送信パルスと２つの磁場Ｇｆｅパルスを使用する。シーケンス１００は、ＭＲＩ手順中でまた典型的に使用されてよい、スピンエコーシーケンスを説明する。
【００４７】
図２及び３は、本発明の実施形態にて使用されてよい、２つの型のＭＲＩシーケンスを説明している。これらのシーケンス、並びに他の可能性あるシーケンスにおける変化が、当業者に明白であり、すべてのそのようなシーケンスは、本発明の範囲内であると推定される。以下の記述において、固有識別子「ｍ」は、各型のＭＲＩシーケンスを標識するために使用し、例示の方法によって、図２によって説明されたＭＲＩシーケンスが、固有識別子ｍ＝１を有すると推測され、図３によって説明されたＭＲＩシーケンスは、固有識別子ｍ＝２を有すると推測される。
【００４８】
図２及び３はまた、各ＭＲＩシーケンスが、シーケンスに対して生成される異なるパルスに対応する、多数の期からなる。ＭＲＩシーケンスの期は、一パルス、多数のパルス、及び／又はパルスの部分に関して定義されてよい。例えば、図２のＭＲＩシーケンスの選択された期は、Ｇｐｅパルスの期間として定義されてよく、図３のＭＲＩシーケンスに対して、他の選択された期は、第二Ｇｆｅパルスの最初の半分の期間として定義されてよい。
【００４９】
一般に、任意のＭＲＩシーケンスは、図２及び３でグラフ化された各パルスを記述している変数に関して定義されてよい。したがって、電圧対時間グラフ７２及び１１０を参照して、変数には、シーケンスを開始しているＲＦパルスの周波数、期及び電圧の振幅、時間にわたるこれらの変数の値における変化、任意の続くＲＦパルスの変数、及び初期ＲＦパルスに関する続くＲＦパルスのタイミングが含まれる。磁場対時間グラフ７６、８０及び８４と、グラフ１２０、１２０及び１２４を参照して、変数には、磁場パルスの形状、すなわち時間によって変化するにともなった場の振幅を記述しているもの、ＲＦパルス又はグラフ７２及び１１２におけるパルスに関する、又は互いに関する、磁場パルスのタイミングが含まれる。
【００５０】
具体的には、各ＭＲＩシーケンスｍは、一組のパラメータに関して広く特徴付けられてよく、各パラメータは、シーケンスのパルスの一つに対応している。以下の記述において、ＭＲＩシーケンスｍに対するパラメータの組は、｛Ｓ｝ｍとして記述される。
【００５１】
例えば、図２にて説明されるＭＲＩシーケンスｍ＝１は、一組のパラメータ｛Ｓ｝１＝｛ＰＲＦ、ＰＧｓｓ、ＰＧｐｅ、ＰＧｆｅ、Ｐシグナル｝を有してよく、本組の各要素が、電圧又は磁場パルスを示している。反対に、図３にて説明されるＭＲＩシーケンスｍ＝２は、一連のパラメータ｛Ｓ｝２＝｛ＰＲＦ１、ＰＲＦ２、ＰＧｓｓ、ＰＧｐｅ、ＰＧｆｅ１、ＰＧｆｅ２、Ｐシグナル｝を有する。
【００５２】
任意の所望のＭＲＩシーケンスｍに対して、組中の各パラメータの、さらにより詳細な特徴が存在する。したがって、ｍ＝１の電圧対時間グラフ７２を参照して、パラメータＰＲＦが、変数、シーケンスを開始しているＲＦパルスの電圧の、周波数ｆ、期φ及び振幅Ａ、及び時間ｔにわたるこれらの変数における変化に関して特性化される。ＰＲＦは、したがって、一組の規則的な４−タプルとして表されてよく、下記式（２）
【数３】
2015147046.tif 000005
（式中、設定添字は、シーケンスの固有識別子ｍである）として記述されてよい。
【００５３】
同様に、ｍ＝１の磁場Ｇｓｓ対時間グラフ７６を参照して、ＰＧｓｓが、一組の規則的な組の変数として表されてよいように、パラメータＰＧｓｓは、時間ｔにおける可変磁場Ｂに関して特性化され、以下式（３）
【数４】
2015147046.tif 000006
として記述されてよい。
【００５４】
ｍ＝２の電圧対時間グラフ１１０を参照して、パラメータＰＲＦ１及びＰＲＦ２は、式
【数５】
2015147046.tif 000007
（式中ｆ１、φ１、Ａ１は、ｍ＝２の第一パルスの時間ｔにおける、周波数、期及び振幅であり、
ｆ２、φ２、Ａ２は、ｍ＝２の第二パルスの時間ｔにおける、心拍数、期及び振幅である）によって表されてよい。
【００５５】
他の例として、場対時間グラフ１２４を参照して、パラメータＰＧｆｅ１、ＰＧｆｅ２は、式
【数６】
2015147046.tif 000008
（式中Ｂ１及びＢ２は、時間ｔでの第一Ｇｆｅパルスと第二Ｇｆｅパルスの場変数である）によって表されてよい。
【００５６】
スキャナ２２を操作する前に、操作者４２は、各ＭＲＩシーケンスｍに対する（以上で記述される広く、そしてより詳細な様式での）そのパラメータ及び各パラメータに関連した変数に関して、｛Ｓ｝ｍを保存するために、プロセッサ６０を使用する。スキャナ２２が操作される手順の間、プロセッサは、図４のフローチャートを参照して表されるように、｛Ｓ｝ｍのパラメータと変数を想起する。｛Ｓ｝ｍのパラメータ及び変数の値を定義している特定の組の数値が、本明細書以下で、｛Ｓ｝ｍｐと呼ばれ、式中ｐは、数値を表している指数である。
【００５７】
図４は、本発明の一実施形態にしたがった、実行システム２０中で実施された段階のフローチャート２００である。フローチャートは、２つのセクション、トレーニングセクション２０２と操作セクション２０４とに分けられる。フローチャートの記述は、フローチャートの適切な段階が、単一プロセッサ６０を用いて実行されることを想定する。システム２０が、スキャナプロセッサ５６とＥＣＧプロセッサ５８を含む場合、フローチャート段階は、スキャナプロセッサ５６からのＭＲＩシーケンスｍのタイミングと同一性に対してのように、そしてシーケンスの数値ｐに対してのように、通信を使用して、ＥＣＧプロセッサ５８によって実行されると推定されてよい。
【００５８】
トレーニング期の初期段階２１０において、操作者４２は、パッチ３６を患者３０にはり、プローブ２４を患者の心臓２８に挿入する。パッチ３６は、外部ＥＣＧシグナルを捕獲し、プローブ２４の電極又は電極群が、内部ＥＣＧシグナルを捕獲し、一方でスキャナ２２は動作不能である。プロセッサ６０は、捕獲したＥＣＧシグナルを受信し、シグナルの参照組として、シグナルの選択された群を保存する。
【００５９】
典型的に、シグナルの参照組には、患者３０に関して比較的定常である、電圧からのシグナルが含まれる。例えば、シグナルの参照組は、パッチ３６からであってよい。いくつかの実施形態において、プローブ２４は、例えば心臓２８中の内部参照プローブとして使用される場合、固定であってよく、この場合、（図１で示していない）他の移動可能なプローブが心臓２８内に挿入されてよい。プローブ２４が固定である場合、ついでその電極又は電極群からのシグナルが、ＥＣＧ参照シグナルとして使用されてよい。いくつかの実施形態において、参照組には、パッチからのシグナルの選択された１つのような、パッチシグナルの亜組、及び／又はプローブが定常である場合、プローブ２４の電極からのシグナルの亜組が含まれてよい。
【００６０】
アンテナ設定段階２１２において、アンテナ５４を、患者３０に近く、典型的には患者のカバーの上に位置付ける。アンテナの位置と方向は、患者によって生成されたＥＣＧシグナルのアンテナによるピックアップがないように選択される。例えば、アンテナは、患者の腹部区域上に位置付けてよい。
【００６１】
特性化段階２１４において、プロセッサは、操作システム２０にて使用されるべき異なるＭＲＩシーケンスのパラメータ及び変数を保存する。言い換えれば、プロセッサは、手順中で使用されるべきｍの各値に対して、組｛Ｓ｝ｍを保存する。一旦パラメータ及び変数が、保存されたならば、プロセッサは、それによってスキャナを操作するために、ＭＲＩシーケンスｍと、シーケンスに対する数値の組｛Ｓ｝ｍｐとを選択する。
【００６２】
記録段階２１６において、スキャナ２２を、選択されたＭＲＩシーケンスを用いて操作し、プロセッサが、スキャナを操作する一方で生成された、パッチ３６からの、及びプローブ２４の電極からの、ＥＣＧシグナルを捕獲及び記録する。記録されたＥＣＧシグナルを、段階２１０中で保存された参照シグナルと一致する、すなわち、参照シグナルとして同一のリード上に存在するように選択する。記録されたＥＣＧシグナルには、スキャナ操作のために、とりわけ、シグナルを伝達しているリード内に注入されたノイズが含まれる。必要性はないけれども、スキャナ操作は典型的に、シーケンスの多数のスキャンに対してであり、操作はシーケンスの単一スキャンに対してであってよい。
【００６３】
さらに、ＥＣＧシグナルを捕獲し、記録する間に、そしてスキャナ２２を操作する間に、段階２１６において、プロセッサはまた、センサ５４中で生成されたシグナル、ＭＲＩ参照シグナルを捕獲し、記録する。
【００６４】
補正決定段階２１８において、ＭＲＩ参照シグナル上で自動的に追尾する間、段階２１６の記録されたＥＣＧシグナルを、段階２１０中に保存したＥＣＧシグナルの参照組と比較する。比較から、得られたＥＣＧシグナルが、参照シグナルに近似するように、プロセッサが、記録されたＥＣＧシグナルに適用されるべき補正率を決定する。補正率は典型的に、周波数依存であり、記録されたＥＣＧシグナルにプロセッサによって適用される、一組のゲイン｛Ｇ｝であり、一方で、いくつかの実施形態において、補正率は、単一の値ゲインであってよい。各ＭＲＩシーケンスｍに対して、そしてｍシーケンスと関係する数値｛Ｓ｝ｍｐの組に対して、一組のゲイン値が存在する。
【００６５】
試験したｐ値を用いて、プロセッサは、典型的には、内挿及び／又は外挿によって、任意のシーケンスｍに対して、そして本シーケンス内の任意の数値ｐに対して適用されるべき補正率に対して、式（８）によって与えられるように、表現｛Ｇ｝ｍｐを生成する。
【数７】
2015147046.tif 000009
（式中Ｇｉは、周波数ｆｉにて適用されたゲインであり、ｉは、周波数の固有同定子である）
【００６６】
｛Ｇ｝ｍｐが、指数ｐを有するシーケンス数値に対するＭＲＩシーケンスｍによって生成されるノイズを減少させるために必要なゲインと関連周波数の組を表すことが理解されるであろう。
【００６７】
典型的には、矢印２２０によって示されるように、式（８）中、特定のゲインＧｉ及び周波数ｆｉがより正確に決定されてよいように、ｍの所定数に対して、段階２１８を、ｐの異なる値に対して、多数回繰り返す。反復がまた、ｐ値の範囲に対して許容される。
【００６８】
決断段階２２２において、プロセッサは、全てのＭＲＩシーケンスが解析されたかどうか、すなわち式（８）中のｍの全ての値に対してゲインが生成されたかどうか、を確認する。シーケンスが残っている場合、フローチャートが段階２２４まで進み、他のＭＲＩシーケンスを選択し、次いで段階２１６に戻る。全てのシーケンスが解析されたならば、トレーニングセクション２０２が完了し、操作セクション２０４が開始される。
【００６９】
操作セクションの第一段階２３０において、プロセッサは、使用されているＭＲＩシーケンスｍを同定する。プロセッサはまた、シーケンスのために使用されている｛Ｓ｝ｍｐの特定の数値を決定する。ｍ及び｛Ｓ｝ｍｐの同定は、スキャナ２２からの通信によって行われてよい。あるいは、又は加えて、プロセッサは、ｍと関連する数値を同定するために、センサ５４によってピックアップされたＭＲＩシーケンスシグナルの特性を解析してよい。
【００７０】
操作セクションの最終段階２３２において、プロセッサは、式（８）からの補正率、すなわち適用されるべきゲインを計算する。プロセッサは次いで、ＭＲＩシーケンスが動作可能である間、シグナル内のＭＲＩノイズを減少させるために、計算されたゲインを、パッチ３６から、及びプローブ２４の電極から受信したすべてのＥＣＧシグナルに適用する。プロセッサは、センサ５４中に生成されたＭＲＩ参照シグナルを自動的に追尾することによって、ＭＲＩシーケンスの操作を決定する。
【００７１】
フローチャート２００の以上の記述は、完全なＭＲＩシーケンスｍが考慮されていることと、式（８）によって与えられたゲインが、完全シーケンスが操作可能である間に捕獲されたＥＣＧシグナルに適用されること、を想定する。当業者は、ＭＲＩシーケンスの１つ以上の期からのノイズが、ＥＣＧシグナル中で作製される場合、及び各期に対するノイズが別々に減少されるべきである場合に対して、変更すべきところは変更して、記述を適合可能であろう。この場合において、式（８）を、各別個の期の間適用されるべきゲインを計算するために使用してよく、別個の期が、フローチャートのトレーニング及び操作セクション両方において、センサ５４にて生成されたＭＲＩ参照シグナルから、及び／又はスキャナ２２からの通信によって、同定されてよい。
【００７２】
フローチャート２００の記述はまた、システム２０が、トレーニングセクション２０２と、続く操作セクション２０４を用いて実施される。しかしながら、本発明の代替実施形態において、別個のトレーイングセクションに対する必要性はなく、これらの実施形態において、システム２０のトレーニングは、「オンザフライ」で実施される。図５及び６を参照して以下で記述した、フローチャート３００及び４００の段階は、どのようにシステム２０が、分離したトレーニングセクションなしに、患者におけるＭＲＩ手順の実施の間に実行されうるのかを例示している。
【００７３】
図５は、本発明の代替実施形態にしたがった、実行システム２０にて実施された段階のフローチャート３００である。第一、第二及び第三段階３１０、３１２及び３１４は実質的に、それぞれ、典型的に固定電極から由来する参照ＥＣＧシグナルを保存し、アンテナ５４を位置付け、ＭＲＩシーケンス特徴を保存する、フローチャート２００の段階２１０、２１２及び２１４に関して記述したのと同様である。記録段階３１６は一般に、段階２１６と同一である。しかしながら、典型的にＥＣＧ記録は、少数のＭＲＩスキャンに対して、又は単一スキャンに対してである。
【００７４】
補正決定段階３１８はまた一般に、段階２１８と同一である。したがって、プロセッサは、得られたＥＣＧシグナルが、ＥＣＧ参照シグナルと近似であるように、記録されたＥＣＧシグナルに適用されるべきである、典型的に式（８）によって与えられたゲインに関して、補正率を決定する。
【００７５】
フローチャートはついで、最終段階３２０に進む。
【００７６】
典型的に、スキャナが他のスキャンに対して操作される、反復段階３２２にて示唆するように、段階３１６及び３１８が反復される。反復が繰り返されるにつれ、プロセッサが、式（８）から由来し、段階３１８にて生成されたゲインの精度を改善可能である。
【００７７】
最終段階３２０は実質的に、最終段階２３２と同一であり、ＭＲＩ参照シグナルを自動的に追尾する間、プロセッサが、全てのＥＣＧシグナルに対して、段階３１８にて由来したゲインを適用する。
【００７８】
図６は、本発明の更なる代替実施形態にしたがった、実行システム２０にて実施される段階のフローチャート４００である。第一、第二及び第三段階４１０、４１２及び４１４は一般に、段階４１０にて、スキャナが動作不能である一方で、ＥＣＧシグナルを捕獲する必要がなく、参照ＥＣＧシグナルの保存が存在しないことを除いて、段階２１０、２１２及び２１４と同一である。
【００７９】
記録段階４１６は実質的に、段階２１６と同一である。典型的に、記録されたＥＣＧシグナルは、パッチ３６及び／又はプローブ２４の固定電極を含む、多数のリードからのものである。段階２１６に対してのように、段階４１６において、プロセッサはまた、センサ５４にて生成されたシグナル、ＭＲＩ参照シグナルを捕獲及び記録する。
【００８０】
補正決定段階４１８において、プロセッサは、ＭＲＩ参照シグナルを自動的に追尾する間に、パッチ又は固定電極からの記録されたＥＣＧシグナルを合計する。合計されたシグナルが、ＭＲＩシーケンスの操作によって生成したノイズの推定をプロセッサに提供する。プロセッサは、シグナル中のＭＲＩノイズを減少させるように、ＥＣＧシグナルに適用されるべき、補正率、すなわち式（８）によって表される一組のゲインを生成するために、ノイズ推定を使用する。
【００８１】
フローチャートがついで、最終段階４２０に進む。
【００８２】
典型的に、スキャナが他のスキャンのために操作される、反復段階４２２によって示唆されるように、段階４１６及び４１８が反復される。反復されるにしたがって、プロセッサは、式（８）から由来し、段階４１８にて生成されるゲインの精度を改善可能である。
【００８３】
最終段階４２０は実質的に、最終段階２３２と同一であり、ＭＲＩ参照シグナルを自動的に追尾する間、プロセッサが、全てのＥＣＧシグナルに対して、段階４１８にて由来したゲインを適用する。
【００８４】
２つの別のプロセッサ５６及び５８が動作可能であり、ＥＣＧプロセッサ５８が、フローチャート２００、３００又は４００の段階を実行するために使用される場合、スキャナプロセッサ５６が、シーケンスの同一性、シーケンスの開始及び／又は終了時間、及びシーケンスの期の開始及び／又は終了時間のような、任意の所定のＭＲＩシーケンスに関連した適切な実体を、ＥＣＧプロセッサ５８に情報提供してよい。
【００８５】
フローチャート３００及び４００は、最初にトレーニングセクションを有さない、操作システム２０に対する２つの異なる方法を記述している。ＭＲＩスキャンによってＥＣＧシグナル内へ導入されたノイズを推定するために、２つのフローチャートに関して記述された方法を組み合わせうることが評価されるであろう。そのような組み合わせは、ただ一つのフローチャートの工程を適用することと比較して、誘導されたＭＲＩノイズのより迅速、及び／又はより正確な同定を導きうる。
【００８６】
したがって、上述の実施形態は一例として引用したものであり、また本発明は上記に具体的に図示及び記載したものに限定されないことは認識されるであろう。むしろ、本発明の範囲には、上で説明した様々な特徴の組合わせと部分的組合わせの両方、並びにそれらの変形形態及び修正形態が含まれ、これらは、上述の説明を読めば当業者には想到するものであり、従来技術では開示されていないものである。
【００８７】
〔実施の態様〕
（１）  初期磁気共鳴画像法（ＭＲＩ）シーケンスを用いて患者を撮像すると同時に、前記患者の近くに配置した参照センサを用いて、前記初期ＭＲＩシーケンスに反応して初期ＭＲＩ参照シグナルを発生させることと、
前記初期ＭＲＩ参照シグナルを自動的に追尾することによって、前記患者から受信した心電図（ＥＣＧ）シグナル中で発生されるであろうノイズを同定することと、
前記ＥＣＧシグナルに適用されるべきプログラム可能な補正を計算し、前記ノイズを減少させることと、
続くＭＲＩシーケンスを用いて前記患者を撮像すると同時に、そして前記参照センサを用いて前記続くＭＲＩシーケンスに反応して発生された続くＭＲＩ参照シグナルを自動的に追尾すると同時に、前記患者から受信した前記ＥＣＧシグナル中の前記ノイズを減少させるために、前記プログラム可能な補正を適用することと、を含む方法。
（２）  前記参照センサを、前記ＥＣＧシグナルを拾うことがないように配置することを含む、実施態様１に記載の方法。
（３）  前記参照センサがアンテナを含む、実施態様１に記載の方法。
（４）  前記プログラム可能な補正が、一組の振動数依存ゲインを含む、実施態様１に記載の方法。
（５）  前記ノイズを同定することに、前記患者に連結した固定電極から発生された前記ＥＣＧシグナルを解析することが含まれる、実施態様１に記載の方法。
【００８８】
（６）  前記ノイズを同定することに、ＭＲＩシーケンスで前記患者を撮像せずに前記患者から受信した前記ＥＣＧシグナルを、前記初期ＭＲＩシーケンスを用いて前記患者を撮像する間に前記患者から受信した前記ＥＣＧシグナルと比較すること、が含まれる、実施態様１に記載の方法。
（７）  前記ノイズを同定することに、前記初期ＭＲＩシーケンスを用いて前記患者を撮像する間に前記患者から受信した前記ＥＣＧシグナルを合計することが含まれる、実施態様１に記載の方法。
（８）  前記ＥＣＧシグナルを合計することに、前記患者に連結した固定電極から発生された前記ＥＣＧシグナルを合計することが含まれる、実施態様７に記載の方法。
（９）  患者の近くに配置され、初期磁気共鳴画像法（ＭＲＩ）シーケンスを用いて前記患者を撮像する間に、前記初期ＭＲＩシーケンスに反応して初期ＭＲＩ参照シグナルを発生するために設定した、参照センサと、
プロセッサであって、
前記初期ＭＲＩ参照シグナルを自動的に追尾することによって、前記患者から受信した心電図（ＥＣＧ）シグナル中で発生されるであろうノイズを同定することと、
前記ＥＣＧシグナルに適用されるべきプログラム可能な補正を計算して、前記ノイズを減少させることと、
続くＭＲＩシーケンスを用いて前記患者を撮像し、前記参照センサを用いて前記続くＭＲＩシーケンスに反応して発生された続くＭＲＩ参照シグナルを自動的に追尾すると同時に、前記プログラム可能な補正を適用して、前記患者から受信した前記ＥＣＧシグナル中の前記ノイズを減少させることと、
のために設定された、プロセッサと、を含む器具。
（１０）  前記参照センサが、前記ＥＣＧシグナルを拾うことがないように配置される、実施態様９に記載の器具。
【００８９】
（１１）  前記参照センサがアンテナを含む、実施態様９に記載の器具。
（１２）  前記プログラム可能な補正が、一組の振動数依存ゲインを含む、実施態様９に記載の器具。
（１３）  前記患者に連結された固定電極を含み、前記ノイズを同定することに、前記固定電極から発生された前記ＥＣＧシグナルを解析することが含まれる、実施態様９に記載の器具。
（１４）  前記ノイズを同定することに、ＭＲＩシーケンスで前記患者を撮像せずに前記患者から受信した前記ＥＣＧシグナルを、前記初期ＭＲＩシーケンスを用いて前記患者を撮像する間に前記患者から受信した前記ＥＣＧシグナルと比較すること、が含まれる、実施態様９に記載の器具。
（１５）  前記ノイズを同定することに、前記初期ＭＲＩシーケンスを用いて前記患者を撮像する間に前記患者から受信した前記ＥＣＧシグナルを合計することが含まれる、実施態様９に記載の器具。
【００９０】
（１６）  前記患者に連結された固定電極を含み、前記ＥＣＧシグナルを合計することに、前記固定電極から発生された前記ＥＣＧシグナルを合計することが含まれる、実施態様１５に記載の器具。
【図１】
2015147046.tif 000010
【図２】
2015147046.tif 000011
【図３】
2015147046.tif 000012
【図４】
2015147046.tif 000013
【図５】
2015147046.tif 000014
【図６】
2015147046.tif 000015
【外国語明細書】
2015147046000001.pdf